(57)【要約】【課題】本発明は、極めて商品価値の高い観賞水草体配設装置及び観賞水草体用水槽を提供することを目的とする。【解決手段】壁面部１に観賞水草体50を配設する観賞水草体壁面配設部２が設けられた観賞水草体配設装置であって、前記壁面部１における前記観賞水草体壁面配設部２よりも上方位置には、前記壁面部１に設けた前記観賞水草体50に与える水を溜める水溜め部３が設けられ、この水溜め部３は、前記壁面部１の巾方向に長さを有する凹所を設けて構成されたものである。【選択図】図１
2018050585.tif 000002
【特許請求の範囲】
【請求項１】
壁面部に観賞水草体を配設する観賞水草体壁面配設部が設けられた観賞水草体配設装置であって、前記壁面部における前記観賞水草体壁面配設部よりも上方位置には、前記壁面部に設けた前記観賞水草体に与える水を溜める水溜め部が設けられ、この水溜め部は、前記壁面部の巾方向に長さを有する凹所を設けて構成されていることを特徴とする観賞水草体配設装置。
【請求項２】
請求項１記載の観賞水草体配設装置において、前記水溜め部は、前記壁面部の表面から突板を上方へ傾斜突設して構成されていることを特徴とする観賞水草体配設装置。
【請求項３】
請求項１，２いずれか１項に記載の観賞水草体配設装置において、前記水溜め部には排水孔部が設けられていることを特徴とする観賞水草体配設装置。
【請求項４】
請求項３記載の観賞水草体配設装置において、前記排水孔部は、前記壁面部の面延長近傍位置に設けられていることを特徴とする観賞水草体配設装置。
【請求項５】
請求項３，４いずれか１項に記載の観賞水草体配設装置において、前記排水孔部は前記水溜め部の長さ方向に並設されていることを特徴とする観賞水草体配設装置。
【請求項６】
請求項１〜５いずれか１項に記載の観賞水草体配設装置において、前記壁面部は、水槽の底面板に立設される正面板、背面板、左側面板及び右側面板の少なくとも一つの内面であることを特徴とする観賞水草体配設装置。
【請求項７】
請求項１〜５いずれか１項に記載の観賞水草体配設装置において、前記壁面部が水槽の上縁部に立設配置されることを特徴とする観賞水草体配設装置。
【請求項８】
請求項７記載の観賞水草体配設装置において、前記壁面部はスタンドを介して水槽の上縁部に立設配置されていることを特徴とする観賞水草体配設装置。
【請求項９】
請求項７，８いずれか１項に記載の観賞水草体配設装置が、水槽内に設けられたことを特徴とする観賞水草体用水槽。
【発明の詳細な説明】
【技術分野】
【０００１】
本発明は、観賞水草体配設装置及び観賞水草体用水槽に関するものである。
【背景技術】
【０００２】
本出願人は、意匠登録第１５０２３３５号に開示される観賞水草体配設装置（以下、従来例という）を提案している。
【０００３】
この従来例は、正面板、背面板、左右側面板及び底面板からなるケースと、このケース内に設けられる階段状体とからなる水槽であり、正面板の上縁は階段状体の最下段の面の高さと略同一となるように設けられている。この従来例を例えばディスプレイ台に載置した場合には、ディスプレイ台に収納されるポンプと、ポンプから延設され水槽の水を吸水する吸水パイプと、ポンプから延設され階段状体の最上段の面に放水する放水パイプとからなる水循環装置が設けられ、放水パイプから放水された水は階段状体の各段を下り、水槽の水溜部に留まることになる。
【０００４】
従って、従来例は、階段状体には観賞用の水草を並べ、水槽の水溜部には観賞用の魚を入れて良好に観賞できる。尚、上記の観賞水草体としては、本出願人が提案する特許第４６２８３４１号に開示される観賞水草体が採用される。
【先行技術文献】
【特許文献】
【０００５】
【特許文献１】意匠登録第１５０２３３５号公報
【特許文献２】特許第４６２８３４１号公報
【発明の概要】
【発明が解決しようとする課題】
【０００６】
本発明者は、前述した観賞水草体を配設する装置について開発を進めた結果、極めて商品価値の高い観賞水草体配設装置及び観賞水草体用水槽を開発した。
【課題を解決するための手段】
【０００７】
添付図面を参照して本発明の要旨を説明する。
【０００８】
壁面部１に観賞水草体50を配設する観賞水草体壁面配設部２が設けられた観賞水草体配設装置であって、前記壁面部１における前記観賞水草体壁面配設部２よりも上方位置には、前記壁面部１に設けた前記観賞水草体50に与える水を溜める水溜め部３が設けられ、この水溜め部３は、前記壁面部１の巾方向に長さを有する凹所を設けて構成されていることを特徴とする観賞水草体配設装置に係るものである。
【０００９】
また、請求項１記載の観賞水草体配設装置において、前記水溜め部３は、前記壁面部１の表面から突板３’を上方へ傾斜突設して構成されていることを特徴とする観賞水草体配設装置に係るものである。
【００１０】
また、請求項１，２いずれか１項に記載の観賞水草体配設装置において、前記水溜め部３には排水孔部５が設けられていることを特徴とする観賞水草体配設装置に係るものである。
【００１１】
また、請求項３記載の観賞水草体配設装置において、前記排水孔部５は、前記壁面部１の面延長近傍位置に設けられていることを特徴とする観賞水草体配設装置に係るものである。
【００１２】
また、請求項３，４いずれか１項に記載の観賞水草体配設装置において、前記排水孔部５は前記水溜め部３の長さ方向に並設されていることを特徴とする観賞水草体配設装置に係るものである。
【００１３】
また、請求項１〜５いずれか１項に記載の観賞水草体配設装置において、前記壁面部１は、水槽51の底面板51ｅに立設される正面板51ａ、背面板51ｂ、左側面板51ｃ及び右側面板51ｄの少なくとも一つの内面であることを特徴とする観賞水草体配設装置に係るものである。
【００１４】
また、請求項１〜５いずれか１項に記載の観賞水草体配設装置において、前記壁面部１が水槽51の上縁部に立設配置されることを特徴とする観賞水草体配設装置に係るものである。
【００１５】
また、請求項７記載の観賞水草体配設装置において、前記壁面部１はスタンド６を介して水槽51の上縁部に立設配置されていることを特徴とする観賞水草体配設装置に係るものである。
【００１６】
また、請求項７，８いずれか１項に記載の観賞水草体配設装置が、水槽51内に設けられたことを特徴とする観賞水草体用水槽に係るものである。
【発明の効果】
【００１７】
本発明は上述のように構成したから、水草を良好に観賞することができ、しかも、極めて体裁が良く、そして更に、メンテナンス性も秀れるなど、極めて商品価値の高い観賞水草体配設装置及び観賞水草体用水槽となる。
【図面の簡単な説明】
【００１８】
【図１】実施例１を示す斜視図である。
【図２】実施例１を説明する正面図である。
【図３】図２のＡ−Ａ断面図である。
【図４】図３のＢ−Ｂ断面図である。
【図５】実施例１の要部を説明する斜視図である。
【図６】実施例１の要部を説明する断面図である。
【図７】実施例１の要部を説明する断面図である。
【図８】実施例１の使用状態説明図である。
【図９】実施例２を示す斜視図である。
【図１０】実施例２を説明する正面図である。
【図１１】図１０のＣ−Ｃ断面図である。
【図１２】図１０のＤ−Ｄ断面図である。
【図１３】実施例２を説明する斜視図である。
【図１４】実施例２を説明する斜視図である。
【図１５】実施例２の要部を説明する側面図である。
【図１６】実施例２の使用状態説明図である。
【図１７】実施例２を説明する斜視図である。
【図１８】実施例２の要部を説明する側面図である。
【図１９】実施例２の使用状態説明図である。
【発明を実施するための形態】
【００１９】
好適と考える本発明の実施形態を、図面に基づいて本発明の作用を示して簡単に説明する。
【００２０】
壁面部１の観賞水草体壁面配設部２には観賞水草体50が配設され、この状態で観賞水草体壁面配設部２よりも上方位置に設けられた水溜め部３から水が流下すると、観賞水草体50に水が供給され、また、この水が壁面部１を流下した場合には、観賞水草体50を良好に観賞することができる。
【００２１】
ところで、水溜め部３は、壁面部１の巾方向に長さを有する凹所を設けて構成されており、従って、壁面部１の上部に水が張った状態が得られる。
【００２２】
従って、壁面部１の上部に所謂水面が形成されるなど、従来にない視覚効果を有してインテリア性に秀れることになり、極めて体裁が良い。
【００２３】
また、本発明は、水溜め部３は凹所であり、上方が開口しているから前述したような体裁が良くなることに加え、メンテナンス性に秀れることになる。
【００２４】
即ち、仮に壁面部１にパイプを横設して水溜め部３を構成した場合、前述した本発明のような視覚効果が得られないのは勿論、この水溜め部３としてのパイプに汚れが付いたり、排水孔が詰まるなど掃除が必要になった場合、パイプや場合によっては観賞水草体50を取り外して掃除を行わなければならず、極めて掃除が厄介である。
【００２５】
この点、本発明は、水溜め部３は凹所であり、上部が開口している為、水溜め部３を取り外さなくてもその開口部から水溜め部３内を掃除することができ、よって、水溜め部３を簡易に掃除することができ、この他にも、この水溜め部３から水草50に有効な栄養素や薬剤を添加することもできるなど、メンテナンス性が極めて良い。
【実施例１】
【００２６】
本発明の具体的な実施例１について図面に基づいて説明する。
【００２７】
本実施例は、壁面部１に観賞水草体50を配設する観賞水草体壁面配設部２が設けられた観賞水草体配設装置である。
【００２８】
尚、本実施例の観賞水草体50としては、本出願人が提案する特許第４６２８３４１号に開示される観賞水草体50が採用され、図２に図示したように方形状や円形状に形成された基材50ｂに水草50ａが設けられたものである。尚、これに限らないのは勿論である。
【００２９】
本実施例は、図１〜４に図示したように適宜な透明部材（ガラス部材）から成る正面板51ａ、背面板51ｂ、左側面板51ｃ、右側面板51ｄ及び底面板51ｅからなる水槽51を設け、この水槽51内には正面板51ａと背面板51ｂとの間を前後に仕切る合成樹脂製の立設板52が設けられ、この立設板52の内面を観賞水草体壁面配設部２が設けられる壁面部１としている。尚、本実施例の水槽51は、正面板51ａの高さが低く設定され、水槽51の下部に貯水部51’が設けられる。
【００３０】
観賞水草体壁面配設部２は、図１〜３，５に図示したように壁面部１に複数の突起２’を設けて構成されており、これら突起２’同士の間隔は観賞水草体50（基材50ｂ）を嵌合し得る間隔に設定されている。
【００３１】
この各突起２’は、所定長を有する断面円形の棒状体であり、各突起２’は、壁面部１の表面に設けられた凹部１ａに嵌挿連結して構成されている。尚、各突起２’を凹部１ａから着脱自在とし、突起２’同士の間隔や可変し得るようにしても良い。
【００３２】
従って、観賞水草体50の基材50ｂに当接する面は円弧面であるから当該基材50ｂの破損を可及的に防止でき、しかも、流下する水の流れを阻害しにくくできる。
【００３３】
また、本実施例では、壁面部１には、複数の突起２’を壁面部１の巾方向に所定間隔を介して並設して成る突起列が上下方向に複数列（４列）並設され、この上下に隣接する突起列の突起２’は上下方向に正面視で千鳥状に配設されている。
【００３４】
即ち、上段の突起列を構成する突起２’同士間の中央下方位置に、該上段の突起列と隣接する下段の突起列の突起２’が位置するように配設されている。
【００３５】
従って、壁面部１に効率良く観賞水草体50を配設することができ、この点においても流下する水の流れを阻害しにくくできる。
【００３６】
また、立設板52の左右方向一側の上方部位には水溜め部３へ水を導入する水導入口部52ａが設けられ、立設板52の左右方向他側の下方部位には貯水部51’から該立設板52の裏側へ導出する水導出口部52ｂが設けられている。
【００３７】
また、本実施例は、壁面部１における観賞水草体壁面配設部２（最上段の突起２’）よりも上方位置には、壁面部１に設けた観賞水草体50に与える水を溜める水溜め部３が設けられ、この水溜め部３は、壁面部１の巾方向に長さを有する凹所を設けて構成されている。
【００３８】
具体的には、水溜め部３は、図６に図示したように壁面部１の表面から突板３’を上方へ傾斜突設して構成されており、水導入口部52ａから導入した水が溜められる。
【００３９】
また、水溜め部３には、該水溜め部３の長さ方向に複数（９つ）の排水孔部５が並設されている。
【００４０】
この排水孔部５は、壁面部１の面延長近傍位置に設けられており、具体的には、各排水孔部５は、突板３’の下端部にして該突板３’の板厚方向に長さを有する凹溝を形成して構成されている。
【００４１】
従って、水溜め部３に溜まった水は各排水孔部５から排水されて壁面部１を流下し、貯水部51’に溜まる。
【００４２】
この水溜め部３に水導入口部52ａから導入される水の量、水溜め部３の容積及び排水口部５の排水量は、水溜め部３に所定水位が維持されるように適宜設定される。
【００４３】
尚、水溜め部３に排水口部５を設けず、突板３’の上端からオーバーフローさせる構成としても良いが、このオーバーフローした水が壁面部１を流下する形状にすることが望ましい。
【００４４】
尚、前述した観賞水草体壁面配設部２及び水溜め部３は水槽51の背面板51ｂの内面（若しくは正面板51ａ、背面板51ｂ、左側面板51ｃ及び右側面板51ｄの内面）に設けても良い。
【００４５】
また、本実施例は、図３，４に図示したように立設板52の外面と背面板51ｂの内面とのには一対の仕切り板53’，53”が架設状態に設けられ左右方向に三つの部屋が設けられている。
【００４６】
具体的には、下方位置に前述した水導出口部52ｂが開口する第一室53Ａと、この第一室53Ａと上方部位で連設される中央の第二室53Ｂと、この第二室53Ｂと下方部位で連設され上部に前述した水導入口部52ａが開口する第三室53Ｃとが設けられている。
【００４７】
この第一室53Ａにはポンプ装置54が設けられ、このポンプ装置54は水導出口部52ｂから第一室53Ａに導出された水を第二室53Ｂへ搬送するものであり、また、ポンプ装置54により第一室53Ａから搬送された水が降下通過する第二室53Ｂには濾過材55が設けられている。
【００４８】
従って、水導出口部52ｂから第一室53Ａに導入されポンプ装置54により送られた水は第二室53Ｂを降下して第三室53Ｃに入り、この第三室53Ｃを上昇して水導入口部52ａから水溜め部３に導入されることになり、水が装置内を循環している。
【００４９】
符号56は蓋体である。
【００５０】
本実施例は上述のように構成したから、壁面部１の観賞水草体壁面配設部２には観賞水草体50が配設され、この状態で観賞水草体壁面配設部２よりも上方位置に設けられた水溜め部３から水Ｗが流下すると、観賞水草体50に水Ｗが供給され、また、この水Ｗが壁面部１を流下した場合には、観賞水草体50を良好に観賞することができる。
【００５１】
ところで、水溜め部３は、壁面部１の巾方向に長さを有する凹所を設けて構成されており、よって、壁面部１の上部には水Ｗが張った状態が得られる（図７，８参照）。
【００５２】
従って、壁面部１の上部に所謂水面が形成されるなど、従来にない視覚効果を有してインテリア性に秀れることになり、極めて体裁が良い。
【００５３】
また、本実施例は、水溜め部３は凹所であり上方が開口しているから前述したような体裁が良くなることに加え、メンテナンス性に秀れることになる。
【００５４】
即ち、仮に壁面部１にパイプを横設して水溜め部３を構成した場合、前述した本実施例のような視覚効果が得られないのは勿論、この水溜め部３としてのパイプに汚れが付いたり、排水孔が詰まるなど掃除が必要になった場合、パイプや場合によっては観賞水草体50を取り外して掃除を行わなければならず、極めて掃除が厄介である。
【００５５】
この点、本実施例は、水溜め部３は凹所であり上部が開口している為、水溜め部３を取り外さなくてもその開口部から水溜め部３内を掃除することができ、よって、水溜め部３を簡易に掃除することができ、この他にも、この水溜め部３から水草50に有効な栄養素や薬剤を添加することもできるなど、メンテナンス性が極めて良い。
【００５６】
また、本実施例は、水溜め部３には排水孔部５が設けられているから、壁面部１に確実に水を流下させることができる。
【００５７】
また、本実施例は、水溜め部３は、壁面部１の表面から突板３’を上方へ傾斜突設して構成されているから、前述した作用効果を確実に奏するのは勿論、簡易構造故にコスト安にして量産性に秀れることになる。
【００５８】
また、本実施例は、突板３’の下方部位に排水孔部５が水溜め部３の長さ方向に並設されているから、この点においても従来にない視覚効果を有してインテリア性に秀れることになり、極めて体裁が良い。
【実施例２】
【００５９】
本発明の具体的な実施例２について図面に基づいて説明する。
【００６０】
本実施例は、前述した観賞水草体壁面配設部２及び水溜め部３を備えた壁面部１を有する板状基体４を設けた場合である。
【００６１】
具体的には、板状基体４は、図９に図示したように適宜な合成樹脂製の部材で形成した板状体であり、裏面部の上端部左右位置には水槽51や後述するスタンド６に係止する係止片部４ａが設けられている。
【００６２】
符号８は水循環装置57のホースが接続され循環する水を導入する水導入管部、４ｂは水溜め部３に水が過剰供給された際にオーバーフローする排水口、４ｃは板状基体４の裏面部の下端部に突設され水槽51に配置した際に水槽51の内面に当接する当接板部である。
【００６３】
スタンド６は、図13に図示したように適宜な金属製の棒材で形成したフレーム構造体であり、板状基体４の係止片部４ａが係止する被係止部６ａと、水槽51の上縁部に引っ掛け係止する引掛け係止部６ｂを有し、この引掛け係止部６ｂを係止することで水槽51に立設状態に取り付けられるように構成されている。
【００６４】
従って、板状基体４は、図14〜16に図示したように水槽51の上縁部にスタンド６を介して立設配置したり、図17〜19に図示したように水槽51の上端部に直接係止して水槽51内に配置したりできる。
【００６５】
その余は実施例１と同様である。
【００６６】
尚、本発明は、実施例１，２に限られるものではなく、各構成要件の具体的構成は適宜設計し得るものである。
【符号の説明】
【００６７】
１  壁面部
２  観賞水草体壁面配設部
３  水溜め部
３’  突板
５  排水孔部
６  スタンド
50  観賞水草体
51  水槽
51ａ  正面板
51ｂ  背面板
51ｃ  左側面板
51ｄ  右側面板
51ｅ  底面板
【図１】
2018050585.tif 000003
【図２】
2018050585.tif 000004
【図３】
2018050585.tif 000005
【図４】
2018050585.tif 000006
【図５】
2018050585.tif 000007
【図６】
2018050585.tif 000008
【図７】
2018050585.tif 000009
【図８】
2018050585.tif 000010
【図９】
2018050585.tif 000011
【図１０】
2018050585.tif 000012
【図１１】
2018050585.tif 000013
【図１２】
2018050585.tif 000014
【図１３】
2018050585.tif 000015
【図１４】
2018050585.tif 000016
【図１５】
2018050585.tif 000017
【図１６】
2018050585.tif 000018
【図１７】
2018050585.tif 000019
【図１８】
2018050585.tif 000020
【図１９】
2018050585.tif 000021